(57)【特許請求の範囲】
【請求項１】
紙幣投入口と該紙幣投入口に連通する紙幣案内シュートが形成されたフロントマスク内に、クレジットカードに記録された情報を読取るクレジットカードリーダー手段を配設したクレジットカードリーダー付き紙幣処理装置において、
前記フロントマスクの上面に前記クレジットカードを投入するクレジットカード投入口を形成するとともに、
前記フロントマスク内に、一端が前記クレジットカード投入口に連通し他端が前記紙幣案内シュートに連通するクレジットカード案内シュートを形成し、
さらに、前記紙幣案内シュートの下面を前記フロントマスクの下面に隣接するように折曲げて形成し、
もって、前記クレジットカードを前記クレジットカード投入口内にクレジットカードを投入すると、該クレジットカードが前記クレジットカード案内シュートを介して前記紙幣案内シュートの下面に到達するようにしたことを特徴とするクレジットカードリーダー付き紙幣処理装置。
【請求項２】
前記クレジットカード投入口が形成された前記フロントマスクの上面には、指掛け凹部が形成されていることを特徴とする請求項１に記載のクレジットカードリーダー付き紙幣処理装置。
【発明の詳細な説明】
【０００１】
【発明の属する技術分野】
この発明は、自動販売機、両替機、サービス機器等に使用され、投入紙幣の真偽を判別するとともに真券を収容するようにした紙幣処理装置に関し、特に、クレジットカードに記録された情報を読取るクレジットカードリーダー付き紙幣処理装置に関する。
【０００２】
【従来技術】
自動販売機、両替機、サービス機器等内には、一般に、商品の購入のために投入された紙幣について、その真偽を判別するとともに、判別された真券をスタッカー内に積載収容する紙幣処理装置が装着されている。
【０００３】
一方、近年ではこの従来の紙幣処理装置のフロントマスク内に、クレジットカードの磁気ストライプに記録された情報にアクセスしてこれを読取る磁気ヘッド等からなるクレジットカードリーダー手段を配設し、紙幣だけでなくクレジットカードを使用して決済し、自動販売機から物品を簡単に購入することができるようにすることも提案されている。
【０００４】
【発明が解決しようとする課題】
ところで、上述したクレジットカードリーダー手段の磁気ヘッドにクレジットカードに記録された情報を正確に読取らせるには、クレジットカードの長手方向に形成された磁気ストライプを磁気ヘッドが十分スキャンできるよう、当該クレジットカードを大きく移動させる必要がある。
【０００５】
その場合、紙幣処理装置のフロントマスク内に、クレジットカードを案内移動させるためのクレジットカード案内シュートを磁気ヘッドによる磁気ストライプのスキャンを十分にできるよう長く形成し、これによりクレジットカードの移動距離を大きく確保させようとすると、必然的に紙幣処理装置のフロントマスクの外形が大型化するだけでなく、この大型化したフロントマスクは、自動販売機の扉等に形成されている予めサイズが規格化されたフロントマスク取り付け孔内には装着できなくなる難点も生ずる。
【０００６】
この発明は上述した事情に鑑み、従来の規格化されたフロントマスクのサイズを変更することなく、しかもフロントマスク内に安定してクレジットカードの情報を読取れるクレジットカードリーダー付き紙幣処理装置を提供することを目的とする。
【０００７】
【課題を解決するための手段】
上述した目的を達成するため、この発明では、紙幣投入口と該紙幣投入口に連通する紙幣案内シュートが形成されたフロントマスク内に、クレジットカードに記録された情報を読取るクレジットカードリーダー手段を配設したクレジットカードリーダー付き紙幣処理装置において、前記フロントマスクの上面に前記クレジットカードを投入するクレジットカード投入口を形成するとともに、前記フロントマスク内に、一端が前記クレジットカード投入口に連通し他端が前記紙幣案内シュートに連通するクレジットカード案内シュートを形成し、さらに、前記紙幣案内シュートの下面を前記フロントマスクの下面に隣接するように折曲げて形成し、もって、前記クレジットカードを前記クレジットカード投入口内にクレジットカードを投入すると、該クレジットカードが前記クレジットカード案内シュートを介して前記紙幣案内シュートの下面に到達するようにしている。
【０００８】
【発明の実施の形態】
以下、この発明に係るクレジットカードリーダー付き紙幣処理装置の一実施例を詳述する。
【０００９】
図１は、この発明に係わる紙幣処理装置１の概念側面図で、特に商品を販売する自動販売機等の扉２のフロントマスク取り付け孔３に、上述した紙幣処理装置１のフロントマスク５が装着された状態を示している。なお、このフロントマスク取り付け孔３の大きさ（上下左右幅）は予めサイズが規格化されており、各種タイプの紙幣処理装置を装着することが出来るようになっている。
【００１０】
この紙幣処理装置１のフロントマスク５の正面５ａには従来と同様に紙幣投入口６が形成され、その内部には当該紙幣投入口６に連設され、投入紙幣を装置本体７内に案内する紙幣案内シュート８が形成されている。
【００１１】
一方、図１及びフロントマスク５の上面図で示す図２のように、その上面５ｂには、クレジットカードを受け入れるスリット状のクレジットカード投入口９が形成され、またクレジットカード投入口９を挟んだ位置のフロントマスク上面５ｂから正面５ａにかけては、クレジットカード投入口９内に投入したクレジットカードを摘んで簡単取り出すことができるようにするため指掛け凹部１０が形成されている。
【００１２】
また、紙幣処理装置１の正面図で示す図３のように、その正面５ａには、ＬＣＤ（液晶表示装置）１１が配設され、後述するクレジットカードリーダー手段の各種情報、例えばクレジットカード受入の可否等を表示する。
【００１３】
一方、図３のＡＡ拡大断面図で示す図４のように、フロントマスク５内には、クレジットカード投入口９に連通するクレジットカード案内シュート２０が形成され、その後端２０ａは紙幣投入口６に連通する紙幣案内シュート８に連通している。
【００１４】
また上述したフロントマスク５内であって、クレジットカード案内シュート２０に隣接し、かつフロントマスク５の上面５ｂ及びクレジットカード投入口９にそれぞれ隣接した位置にはクレジットカードリーダー手段３０の主要構成要素である磁気ヘッド３１が配設されている。
【００１５】
なお、このクレジットカードリーダー手段３０は、フロントマスク５内を画成するボックス３２内に収容され、埃や雨滴から損傷を受けることが可及的に防止されている。
【００１６】
また、前述した紙幣案内シュート８の下面を構成する下シュート８ａのうち、クレジットカード案内シュート２０の後端２０ａと対向する位置の下シュート８ｂはフロントマスク５の下面５ｃと接近する位置にまで折り曲げられ、これによりクレジットカード投入口９から紙幣案内シュート８の下シュート８ｂまでの距離Ｌを大きく確保している。
【００１７】
なお、図４で符号４０は、紙幣投入口６内に紙幣が投入されたか否かを検出する紙幣検出センサー、４１は投入された紙幣を装置本体７（図１）内に搬送する紙幣搬送ベルト４３等からなる紙幣搬送手段、また図１で、符号４４は真券と見なされた紙幣を収容するスタッカーである。
【００１８】
次に上述した紙幣処理装置１の作用を説明する。
【００１９】
この紙幣処理装置１によると、図１で示すように、クレジットカード５０を使用する場合は、図示せぬオペレータがクレジットカード５０の後端５０ｂを指で摘み、その先端５０ａをフロントマスク５のクレジットカード投入口９内に投入する。
【００２０】
するとフロントマスク５の要部拡大断面図で示す図５のように、クレジットカード５０の長手方向に形成された磁気ストライプ１００の始端１００ａがクレジットカード投入口９に隣接した位置に配設された磁気ヘッド３１と直ちに摺接を開始するので、当該磁気ストライプ１００に記録された情報の読取りがクレジットカード５０の挿入直後から開始される。
【００２１】
そしてさらに、図５に示す位置のクレジットカード５０をフロントマスク５の下方へ押圧すると、当該クレジットカード５０はクレジットカード案内シュート２０に沿って下降し、図６で示すようにさらにその先端５０ａがクレジットカード案内シュート２０の後端２０ａから突出し、紙幣案内シュート８の下シュート８ｂに当接して停止する。
【００２２】
この図６で示すように、クレジットカード５０の先端５０ａが紙幣案内シュート８の下シュート８ｂに当接して停止すると、クレジットカード５０の後端５０ｂが磁気ヘッド３１と摺接するので、クレジットカード５０の長手方向に形成された磁気ストライプの始端から終端にかけて記録された情報がすべてクレジットカードリーダー手段３０の磁気ヘッド３１によりスキャンされ、その情報が確実に読取られることとなる。
【００２３】
なお、このクレジットカード５０を取り出すには、図３のＢＢ拡大断面図で示す図７のように、クレジットカード５０の後端５０ｂがフロントマスク５の指掛け凹部１０内に露出しいるので、この部分をオペレータが摘んで上方に引き上げればクレジットカード５０は簡単にフロントマスク５のクレジットカード案内シュート２０内から取り出すことができることとなる。
【００２４】
なお、図４で示すように、フロントマスク５の上面に形成されたクレジットカード投入口９に連通するクレジットカード案内シュート２０の後端２０ａは紙幣案内シュート８に露出しているので、このクレジットカード投入口９内に侵入した雨滴等は、すべてクレジットカード案内シュート２０の後端２０ａを介して紙幣案内シュート８に落下し、さらに紙幣投入口６を介して外部に排出される。
【００２５】
またクレジットカード５０をフロントマスク５内に嵌挿すると、図６で示すように、紙幣投入口６がクレジットカード５０により覆われるので、クレジットカード５０のデータ読取り中に誤って紙幣が紙幣投入口６内に投入されることを防止することもできる。
【００２６】
なお、このような雨滴を迅速に排出するため紙幣案内シュート８にからフロントマスク５の下面５ｃに向けて排出孔を形成するようにしてもよい。
【００２７】
【発明の効果】
以上説明したように、この発明のクレジットカードリーダー付き紙幣処理装置では、フロントマスクの上面に形成されたクレジットカード投入口に連通するクレジットカード案内シュートを紙幣案内シュートと連通するように形成し、さらにこの紙幣案内シュートの下面をフロントマスクの下面に隣接するように折り曲げて形成したから、クレジットカードをクレジットカード投入口内に投入すると、クレジットカード先端が折曲げられた紙幣案内シュートの下面にまで到達し、これにより狭いフロントマスク内において、クレジットカードの移動距離を十分確保してクレジットカードの磁気ストライプを磁気ヘッドが十分スキャンすることができ、このため従来の規格化されたフロントマスクの外形を変更することなく、フロントマスク内にクレジットカードリーダーを装着し、クレジットカードの情報の読取り処理を安定しておこなうクレジットカードリーダー付き紙幣処理装置を提供することが出来る。
【図面の簡単な説明】
【図１】図１はこの発明に係るクレジットカードリーダー付き紙幣処理装置の要部概念破断面図。
【図２】図２はフロントマスクの上面図。
【図３】図３はこの発明に係るクレジットカードリーダー付き紙幣処理装置の正面図。
【図４】図３のＡＡ拡大断面図、
【図５】図５はこの発明に係るクレジットカードリーダー付き紙幣処理装置の作用を示す拡大断面図。
【図６】図６はこの発明に係るクレジットカードリーダー付き紙幣処理装置の作用を示す拡大断面図。
【図７】図７はこの発明に係るクレジットカードリーダー付き紙幣処理装置の作用を示す拡大断面図。
【符号の説明】
１…クレジットカードリーダー付き紙幣処理装置
３…クレジットカードリーダー手段
５…フロントマスク
５ｂ…上面
５ｃ…下面
６…紙幣投入口
８…紙幣案内シュート
８ｂ…下面
９…クレジットカード投入口
１０…指掛け凹部
２０…クレジットカード案内シュート
２０ａ…他端
５０…クレジットカード
【図１】
0003898488.tif 000002
【図２】
0003898488.tif 000003
【図３】
0003898488.tif 000004
【図４】
0003898488.tif 000005
【図５】
0003898488.tif 000006
【図６】
0003898488.tif 000007
【図７】
0003898488.tif 000008